(57)【要約】      （修正有）【課題】独特の、燃える炎のような、華麗な色彩による、ボリューム感ある画像密度の濃い複合映像を表現することが可能な万華鏡と其のオブジェクトを提供する。【解決手段】万華鏡１の構造を、付設する合せ鏡３の形状構造が部分的に異なる多段形状構造にする。或いは、２本の万華鏡よりなる二眼型の万華鏡にあっては、少なくとも、その内の１本は多段構造の万華鏡を用いるか、又は、透明球を付設するテレイドスコープを用いる。或いは、合せ鏡３の形状が互いに異なる２本の万華鏡を用いる。オブジェクトとして、光透過機能を残して着色されるＣＤをオブジェクトとして用い、これにより、燃える炎のような独特の華麗な色彩の複合映像を表現することができる。或いは、ＣＤ反射面に接合して装着する、光透過機能を有するＣＤ装着型アクセサリー盤を設け、映り込み防止構造を設けると共に、必要に応じて、光透過機能を残して着色する。【選択図】図３
2014074872.tif 000002
【特許請求の範囲】
【請求項１】
ボディーとなる筒体内に、鏡面が内向きの合せ鏡を付設してなる万華鏡において、
該万華鏡の筒体内に付設される合せ鏡は、前記合せ鏡の部分的箇所の形状構造が、前記合せ鏡の他の箇所と対比して、部分的に異なる多段形状構造の１本の合せ鏡に形成してなることを特徴とする複合映像を映す万華鏡。
【請求項２】
ボディーとなる筒体内に、鏡面が内向きの合せ鏡を付設してなる万華鏡において、
該万華鏡の筒体内に付設される合せ鏡は、前記合せ鏡の内部空間の一部を、両面鏡面構造の仕切鏡で仕切って複数の合わせ鏡の空間に分割し、これにより、前記合せ鏡全体の形状構造を、部分的に異なる形状をなす多段形状構造の１本の合せ鏡に形成してなることを特徴とする請求項１に記載の複合映像を映す万華鏡。
【請求項３】
ボディーとなる筒体内に、鏡面が内向きの合せ鏡を付設してなる万華鏡において、
該万華鏡に付設される合せ鏡は、少なくとも円形状の合せ鏡と、多角形状の合せ鏡を縦列にセットして、多段形状構造の１本の合せ鏡に形成してなることを特徴とする請求項１に記載の複合映像を映す万華鏡。
【請求項４】
請求項１〜３に記載の、ボディーとなる筒体内に、鏡面が内向きの、多段形状構造の合せ鏡を付設してなる万華鏡において、
該万華鏡の筒体内に付設される形状構造が異なる複数の合せ鏡に対応して、前記形状構造が異なる合せ鏡ごとに、筒体共に分割し、且つ、前記分割された合せ鏡を内蔵する分割筒体の、自在な組み合わせが可能な連結構造にして、１本の万華鏡に形成してなることを特徴とする請求項１〜３に記載の複合映像を映す万華鏡。
【請求項５】
合せ鏡を２本用いて形成される両眼で覗く構造よりなる二眼型の万華鏡において、
少なくとも、前記２本の合せ鏡の内の１本を、請求項１に記載の多段形状構造の合せ鏡を用いて形成してなることを特徴とする複合映像を映す万華鏡。
【請求項６】
万華鏡を２本用いて形成される両眼で覗く構造よりなる二眼型の万華鏡において、
該二眼型の万華鏡を形成する２本の万華鏡の夫々の構造が互いに異なっているか、或いは、前記２本の万華鏡に付設される合せ鏡の夫々の形状構造が互いに異なっていることを特徴とする複合映像を映す万華鏡。
【請求項７】
合せ鏡を２本用いて形成される両眼で覗く構造よりなる二眼型の万華鏡において、
該二眼型の万華鏡を形成する２本の万華鏡の、その内の１本は、万華鏡の筒先端が開放され、そして、他の１本の万華鏡の筒先端には、透明球が付設されていて、前記２本の万華鏡の夫々の構造が、互いに異なる構造よりなることを特徴とする請求項６に記載の複合映像を映す万華鏡。
【請求項８】
合せ鏡を２本用いて形成される両眼で覗く構造よりなる二眼型の万華鏡において、
該二眼型の万華鏡を形成する２本の万華鏡に付設される合せ鏡の構造は、その内の１本の万華鏡に付設される合せ鏡の形状構造は、四角形状であり、そして、他の１本の万華鏡の合せ鏡は、三角形状よりなることを特徴とする請求項６に記載の複合映像を映す万華鏡。
【請求項９】
ＣＤ反射面に光透過機能を残して着色し、且つ、前記反射面にアクセサリーを付着してなるＣＤ（ＤＶＤ盤を含む、以後同様）を、請求項（１〜８）に記載の万華鏡のオブジェクトとして用いてなることを特徴とする複合映像を映す万華鏡のオブジェクト。
【請求項１０】
ＣＤ反射面に装着する、光透過機能を有する部材からなる、アクセサリーを付着するアクセサリー盤を設け、且つ、前記アクセサリー盤に映り込み防止手段を設け、且つ必要に応じて、前記アクセサリー盤が光透過機能を残して着色してなる、前記のように構成されるアクセサリー盤をＣＤ反射面に装着して構成されるＣＤ装着型アクセサリー盤を、請求項（１〜８）に記載の万華鏡のオブジェクトとして用いてなることを特徴とする複合映像を映す万華鏡のオブジェクト。
【発明の詳細な説明】
【技術分野】
【０００１】
本発明は、複合映像を映し出す万華鏡、及び、これに用いるオブジェクトに関するものである。
【背景技術】
【０００２】
従来、芸術性を求める本格的な２ミラータイプの万華鏡は、映し出される映像が、図形に隙間ができないように、また、図形同士が重ならないようにして、何種類かの図形で覆い尽くされたタイリングでできていて、其の魅力は図柄と色彩美にある。
本発明は、上述のような万華鏡とは異なり、独特の、複合された画像密度の濃い、燃える炎のような華麗な色彩の、ボリューム感ある映像を映し出すことが特徴であり、燃える炎のような華麗な色彩表現に特化した万華鏡である。
【０００３】
従来の、万華鏡の構造は、万華鏡本体が、少なくとも、筒体のボディーと、合せ鏡により構成され、そして、オブジェクトは、ボディーに固定された一体型タイプのものが主流であり、チェンバースコープ、ワンドスコープ、オイルスコープ、ホイルスコープ、マーブルスコープ等と呼ばれる各種構造の万華鏡が存在する。
他に、テレイドスコープと呼ばれる万華鏡の奥側の先端部に、透明球のレンズが固着され、花や自然の風景をオブジェクトとして見るタイプの万華鏡がある。
その他のものとしては、特許文献８のように、万華鏡本体とオブジェクトを別個にした分離型タイプがあり、オブジェクトを別に設置して見る構造になっていて、本発明のように、オブジェクトを手で持つ構造にすることもできる。
【０００４】
従来、一般的に見受けられる万華鏡は、１本の筒体からなる、片眼で覗く一眼型の万華鏡であるが、両眼で覗く、二眼型の万華鏡も見受けられる。
一眼型の万華鏡には、１本の合せ鏡が付設され、合せ鏡全体の形状構造が、同一の形状構造となっている。
なお、本発明において、合せ鏡全体の形状構造が同一の形状構造とされる合せ鏡の構造の中には、合せ鏡の側面全体が傾斜して、両端断面の大きさが異なる細長い台形状の構造の合せ鏡も含まれるものとする。
そして従来の、二眼型の万華鏡には、２本の合せ鏡が付設され、２本の合せ鏡の全体の形状構造は、全体が同一の形状構造となっている。
上述の、二眼型の万華鏡における２本の合せ鏡を収納する筒体の構造には、２本の筒体に夫々合せ鏡を１本ずつ収納するタイプと、１本の筒体に２本の合せ鏡を収納するタイプがある。
【０００５】
次に、万華鏡とセットとなるオブジェクトに関し、一般的に見受けられるものは、万華鏡本体にオブジェクトが付設されている一体型になっていて、オブジェクトの構造は小さい貝殻などのアクセサリーが容器に入れられ手いる。
他に、オブジェクトとして、ＣＤをそのまま万華鏡先端に取付けたものも見受けられ、万華鏡本体と一体構造になっている。
【０００６】
従来、２本の万華鏡が組み合わされる二眼型の万華鏡には、特許文献１のように、同一構造の万華鏡、或いは、全体が単一形状の合せ鏡を付設する万華鏡が用いられている。
一方、本発明の万華鏡のように、万華鏡のボディーに付設する１本の合せ鏡の形状構造が単一構造でなく部分的に異なる構造であるもの、及び、合せ鏡を２本用いる二眼型の万華鏡において、２本の合せ鏡の形状構造が互いに異なるもの、並びに、２本の万華鏡を用いる二眼型の万華鏡において、２本の万華鏡の構造が互いに異なるものは、従来見受けられないものである。
また、本発明の万華鏡に用いるオブジェクトのように、光透過機能を残して着色されるＣＤを用いるオブジェクト、並びに、アクセサリー盤がＣＤ反射面に接合して装着されるＣＤ装着型アクセサリー盤は、従来見受けられないものである。
【先行技術文献】
【特許文献】
【０００７】
【特許文献１】登録実用新案  第３００５０５１号  公報
【特許文献２】登録実用新案  第３０４２７５２号  公報
【特許文献３】特許公開  ２０００−１５５２８７号  公報
【特許文献４】特許公開  ２００４−２３３５０２号  公報
【特許文献５】登録実用新案  第３１１２９０７号  公報
【特許文献６】特許公開  ２００４−９４２２６号  公報
【特許文献７】特許公開２０１２−８５０７号  公報
【特許文献８】特許公開２００５−１６９０３８号  公報
【特許文献９】登録実用新案  第３１７０１８７号  公報
【特許文献１０】特許公開  ２００６−２８７８９６号  公報
【特許文献１１】特許公開  昭和５５−５２０１０号  公報
【発明の概要】
【発明が解決しようとする課題】
【０００８】
本発明は、画像密度の濃い、燃えるような華麗な色彩の、ボリューム感ある映像を映し出すことが可能な万華鏡及び其のオブジェクトを提供することを目的とする。
【課題を解決するための手段】
【０００９】
上記課題の解決手段として、１本の合せ鏡の全体の形状構造が単一構造ではなく、形状構造が部分的に異なる多段構造の合せ鏡を付設する万華鏡を設けるか、或いは、異なる構造の２本の万華鏡を用いる二眼型の万華鏡を設ける。
そしてオブジェクトは、ＣＤ（ＤＶＤ盤を含む、以後同様）を応用し、着色されたＣＤ反射面から発する燃える炎のような反射光を応用する。
続いて、上記課題を解決する手段（１）〜（１０）について述べる。
【００１０】
（１）
ボディーとなる筒体内に、鏡面が内向きの合せ鏡を付設してなる万華鏡において、
該万華鏡の筒体内に付設される合せ鏡は、前記合せ鏡の部分的箇所の形状構造が、前記合せ鏡の他の箇所と対比して、部分的に異なる多段形状構造の１本の合せ鏡に形成してなる複合映像を映す万華鏡を設ける。
【００１１】
なお、本発明において、合せ鏡全体の形状構造が単一構造の形状とされる合せ鏡の中には、合せ鏡の側面全体が傾斜して、両端断面の大きさが異なる細長い台形状の合せ鏡も含まれるものとする。
【００１２】
（２）
ボディーとなる筒体内に、鏡面が内向きの合せ鏡を付設してなる万華鏡において、
該万華鏡の筒体内に付設される合せ鏡は、前記合せ鏡の内部空間の一部を、両面鏡面構造の仕切鏡で仕切って複数の合わせ鏡の空間に分割し、これにより、前記合せ鏡全体の形状構造を、部分的に異なる形状をなす多段形状構造の１本の合せ鏡に形成してなる前記（１）に記載の複合映像を映す万華鏡を設ける。
【００１３】
（３）
ボディーとなる筒体内に、鏡面が内向きの合せ鏡を付設してなる万華鏡において、
該万華鏡に付設される合せ鏡は、少なくとも円形状の合せ鏡と、多角形状の合せ鏡を縦列にセットして、多段形状構造の１本の合せ鏡に形成してなる前記（１）に記載の複合映像を映す万華鏡を設ける。
【００１４】
（４）
前記（１〜３）に記載の、ボディーとなる筒体内に、鏡面が内向きの、多段形状構造の合せ鏡を付設してなる万華鏡において、
該万華鏡の筒体内に付設される形状構造が異なる複数の合せ鏡に対応して、前記形状構造が異なる合せ鏡ごとに、筒体共に分割し、且つ、前記分割された合せ鏡を内蔵する分割筒体の、自在な組み合わせが可能な連結構造にして、１本の万華鏡に形成してなる前記（１〜３）に記載の複合映像を映す万華鏡を設ける。
【００１５】
（５）
合せ鏡を２本用いて形成される両眼で覗く構造よりなる二眼型の万華鏡において、
少なくとも、前記２本の合せ鏡の内の１本を、前記（１）に記載の多段形状構造の合せ鏡を用いて形成してなる複合映像を映す万華鏡を設ける。
【００１６】
（６）
万華鏡を２本用いて形成される両眼で覗く構造よりなる二眼型の万華鏡において、
該二眼型の万華鏡を形成する２本の万華鏡の夫々の構造が互いに異なっているか、或いは、前記２本の万華鏡に付設される合せ鏡の夫々の形状構造が互いに異なっている複合映像を映す万華鏡を設ける。
【００１７】
（７）
合せ鏡を２本用いて形成される両眼で覗く構造よりなる二眼型の万華鏡において、
該二眼型の万華鏡を形成する２本の万華鏡の、その内の１本は、万華鏡の筒先端が開放され、そして、他の１本の万華鏡の筒先端には、透明球が付設されていて、前記２本の万華鏡の夫々の構造が、互いに異なる構造よりなる前記（６）に記載の複合映像を映す万華鏡を設ける。
【００１８】
（８）
合せ鏡を２本用いて形成される両眼で覗く構造よりなる二眼型の万華鏡において、
該二眼型の万華鏡を形成する２本の万華鏡に付設される合せ鏡の構造は、その内の１本の万華鏡に付設される合せ鏡の形状構造は、四角形状であり、そして、他の１本の万華鏡の合せ鏡は、三角形状よりなる前記（６）に記載の複合映像を映す万華鏡を設ける。
【００１９】
（９）
ＣＤ反射面に光透過機能を残して着色し、且つ、前記反射面にアクセサリーを付着してなるＣＤ（ＤＶＤ盤を含む、以後同様）を、請求項（１〜８）に記載の万華鏡のオブジェクトとして用いてなる複合映像を映す万華鏡のオブジェクトを設ける。
【００２０】
なお、ＣＤを応用するオブジェクトは、うちわの様な手持ちタイプ、或いは、ターンテーブルに飾って回転させるタイプ等、適宜な方法で用いることができる。
アクセサリーは、反射性を有するものが望ましい。
【００２１】
（１０）
ＣＤ反射面に装着する、光透過機能を有する部材からなる、アクセサリーを付着するアクセサリー盤を設け、且つ、前記アクセサリー盤に映り込み防止手段を設け、且つ必要に応じて、前記アクセサリー盤が光透過機能を残して着色してなる、前記のように構成されるアクセサリー盤をＣＤ反射面に装着して構成されるＣＤ装着型アクセサリー盤を、前記（１〜８）に記載の万華鏡のオブジェクトとして用いてなる複合映像を映す万華鏡のオブジェクトを設ける。
【００２２】
なお、ＣＤ装着型アクセサリー盤を用いるオブジェクトは、うちわの様な手持ちタイプ、或いは、ターンテーブルに飾って回転させるタイプ等、適宜な方法で用いることができる。
上述の、アクセサリー盤への着色は、基本的には、映り込み防止構造を設けていない裏面に着色するが、アクセサリー盤表面への着色も可能である。
そして、アクセサリー盤への映り込み防止手段は、アクセサリー盤表面に、映り込み防止の凹凸構造を施すか、或いは、映り込み防止剤をコーティングするか、或いは、映り込み防止フイルムを貼り付けるなどの手段を用いる。
【００２３】
以上が課題を解決する手段に関する。
【発明の効果】
【００２４】
本発明は、請求項１〜請求項１０に記載したように構成されているので、以下のような効果が期待される。
【００２５】
請求項１の発明のように、万華鏡の筒体内に付設される合わせ鏡の部分的箇所における形状構造を、合せ鏡の他の箇所と対比して、部分的に異なる形状の多段形状構造の合せ鏡に形成することにより、この合せ鏡を付設する万華鏡を覗いてオブジェクトを見ると、画像密度の濃い複合映像が映し出され、従来の単一形状の合せ鏡と対比すると、画像密度の違いが良く分かる。
【００２６】
次に、請求項２の発明のように、万華鏡の筒体内に付設される合せ鏡の内部空間の一部を、両面鏡面構造の仕切鏡で仕切って複数の合わせ鏡の空間に分割し、これにより、前記合せ鏡全体の形状構造を、部分的に異なる形状の多段形状構造の合せ鏡に形成することにより、この合せ鏡を付設する万華鏡を覗いてオブジェクトを見ると、請求項１と同様の効果が得られ、画像密度の濃い複合映像が映し出される。
【００２７】
次に、請求項３の発明のように、万華鏡に付設される合せ鏡は、少なくとも円形状の合せ鏡と、多角形状の合せ鏡を縦列にセットして、多段形状構造の合せ鏡に形成することにより、この合せ鏡を付設する万華鏡を覗いてオブジェクトを見ると、画像密度の濃い複合映像が映し出されると共に、オブジェクトを微動させると、画像中心部で渦巻き現象が起き、面白い映像が映し出される。
【００２８】
次に、請求項４の発明のように、請求項１〜３に記載の、ボディーとなる筒体内に、鏡面が内向きの、多段形状構造の合せ鏡を付設してなる万華鏡において、
該万華鏡の筒体内に付設される形状構造が異なる複数の合せ鏡に対応して、前記合せ鏡の形状構造が異なるごとに、合せ鏡と筒体を一緒に分割し、且つ、前記分割された複数の筒体を、自在に組み合わせて連結可能な構造の１本の万華鏡に形成することにより、
組み合わせの違いによる映像の変化を楽しむことができ、また、理科教材としての使用が望まれる。
【００２９】
次に、請求項５の発明のように、合せ鏡を２本用いて形成される両眼で覗く構造よりなる二眼型の万華鏡において、２本の合せ鏡の内の１本を、請求項１に記載の合せ鏡を用いることにより、この合せ鏡を付設する万華鏡を覗いてオブジェクトを見ると、ボリュームのある画像密度の濃い複合映像が映し出される。
【００３０】
次に、請求項６〜８の発明のように、両眼で覗く構造よりなる二眼型の万華鏡において、二眼型の万華鏡を形成する２本の万華鏡の夫々の構造を互いに異なる構造にすることにより、上述の二眼型の万華鏡を覗いてオブジェクトを見ると、左右の万華鏡に写る映像が重なって、複合映像として見られる。
ちなみに、請求項７の万華鏡は筒先端開放型と筒先端透明球レンズ付きの組み合わせであり、そして、請求項８の万華鏡は、四角形の合せ鏡と三角形の合せ鏡の組み合わせとなっている。
【００３１】
次に、請求項９の発明のように、光透過機能を残して着色されたＣＤをオブジェクトとすることにより、燃える炎のような、独特の華麗な色彩を、映像で表現することができる。
【００３２】
次に、請求項１０の発明のように、ＣＤ反射面に接合して装着する、光透過機能を有する部材からなるアクセサリー盤を設け、且つ、前記アクセサリー盤に映り込み防止手段を設け、且つ必要に応じて、前記アクセサリー盤に光透過機能を残して着色してなるアクセサリー盤を設けることにより、ＣＤ盤１枚に対し、アクセサリー盤多数とのセット対応も可能である。
【００３３】
アクセサリー盤に映り込み防止構造を設けることにより、映り込み現象が防止される。
アクセサリー盤への映り込み防止には、アクセサリー盤表面に、映り込み防止の凹凸構造を施すか、或いは、映り込み防止剤をコーティングするか、或いは、映り込み防止フイルムを貼り付けるなどの手段を用いる。    
着色したアクセサリー盤は、ＣＤに重ねるとＣＤ反射光を着色することが可能で、ＣＤ反射光を燃える炎のような華麗な色彩に変化させることが可能となり、万華鏡のオブジェクトとして用いることができる。
【００３４】
以上が発明の効果に関する。
【図面の簡単な説明】
【００３５】
【図１】本発明の、請求項１及び請求項２の記載に基づく、奥側部分の合わせ鏡は、四角形が分割されたＷ三角形であり、手前部分の合わせ鏡は四角形状になっている、合せ鏡の形状構造が部分的に異なる多段形状構造になっている複合映像を映す万華鏡の要部斜視図である。
【図２】図１の内部側面図である。
【図３】図１の奥側先端の正面図である。
【図４】本発明の、請求項３の記載に基づく、奥側部分の合わせ鏡は、円形状であり、手前部分の合わせ鏡は四角形状になっている、合せ鏡の形状構造が部分的に異なる多段形状構造になっている複合映像を映す万華鏡の要部斜視図である。
【図５】図４の内部側面図である。
【図６】図４の奥側先端の正面図である。
【図７】本発明の、請求項４の記載に基づく、合せ鏡が異なる形状ごとに、筒体ごと分割された分割筒体が連結された、１本の合せ鏡を付設する複合映像を映す万華鏡の要部斜視図と其の内部図である。
【図８】図７の分解図である。
【図９】本発明の、請求項５の記載に基づく、二眼型の万華鏡の１本の合せ鏡に、多段形状構造の合せ鏡を用いる複合映像を映す万華鏡の要部斜視図と、付設される合せ鏡の斜視図である。
【図１０】本発明の、請求項７の記載に基づく、二眼型の万華鏡の１本の奥側先端に透明球を付設する複合映像を映す万華鏡の要部斜視図と、付設される合せ鏡の斜視図である。
【図１１】本発明の、請求項８の記載に基づく、二眼型の万華鏡の斜視図と、付設される三角形状と四角形状の、互いに異なる形状の２本の合せ鏡の斜視図である。
【図１２】請求項９の記載に基づく、アクセサリーを付着する、着色されたＣＤを２枚用いて構成される手持ちタイプのオブジェクトの斜視図である。
【図１３】請求項１０の記載に基づく、アクセサリー盤の斜視図である。
【図１４】図１３のアクセサリー盤がＣＤ反射面に装着される、ＣＤ装着型アクセサリー盤の斜視図である。
【図１５】図１３の分解図である。
【図１６】本発明の、複合映像を映す万華鏡とオブジェクトの使用例図である。
【発明を実施するための形態】
【００３６】
以下、本発明の実施の形態について図面を参照して説明する。
図１〜図３は、本発明の実施例１の、請求項２の記載に基づく複合映像を映す万華鏡である。
図１は、筒体２に付設される1本の四角形状の合わせ鏡８の奥側の先端部４の１次映像取込口が、仕切鏡７により二つの合せ鏡の空間に分割されて、二つの三角形が合わさるＷ三角形状６に形成される多段形状構造よりなる合せ鏡を付設する、本発明の万華鏡の要部斜視図であり、図２は其の内部側面図であり、図３は万華鏡奥側の先端部４の正面図である。
図１の万華鏡で、本発明のＣＤを応用するオブジェクトを見ると、被写体を筒先端の1段目のＷ三角形状の合せ鏡に映像として取り込むことにより、前記1段目のＷ三角形状の合せ鏡に映る映像が、２段目の四角形状の合せ鏡に取り入れることにより、全体が単一構造の合せ鏡を付設する万華鏡と比較して、画像密度の濃い映像が映し出されることが特徴である。
また、オブジェクトを動かすと、Ｗ三角形状の合せ鏡と、四角形状の合わせ鏡の動きが複合される複雑な動きの映像が映し出される。
【００３７】
図１の、本発明の万華鏡を覗いて、本発明のＣＤを応用するオブジェクトを見ると、被写体を筒先端の1段目のＷ三角形状の合せ鏡に映像として取り込むことにより、前記1段目のＷ三角形状の合せ鏡に映る映像が、２段目の四角形状の合せ鏡に取り入れられ、これにより、全体が単一構造の合せ鏡を付設する万華鏡と比較して、本発明の万華鏡は、画像が複合された画像密度の濃い映像として映し出されることが特徴である。
【００３８】
次に、図４〜図６は、本発明の実施例２の、請求項３の記載に基づく複合映像を映す万華鏡である。
図４は、筒先端部４に付設される円形状の合わせ鏡１０と、筒後端部５に付設される四角形状の合せ鏡８により形成される多段形状構造よりなる合せ鏡を付設する、本発明の万華鏡の要部斜視図であり、図２は其の内部側面図であり、図３は万華鏡奥側の先端部の正面図である。
図４の、本発明の万華鏡を覗いて、本発明のＣＤを応用する手持ちタイプのオブジェクトを見ると、1段目の円形状の合わせ鏡には、オブジェクトのアクセサリーの実像が歪んで混ざり合い、帯状の渦巻き状の映像となって映る。
そして、1段目の帯状の映像が元になって、2段目の四角形状の合わせ鏡に映るが、2段目の合わせ鏡には、前記帯状になったアクセサリーの映像が復元されてアクセサリーの実像が映し出される。
そして、上述の、手にするオブジェクトを微動させると、合わせ鏡には、前後左右に丸太が転がるような映像と、それと同時に、中心部では渦が巻いているような映像が複合して、円形状の合わせ鏡と四角形状の合わせ鏡の映像の動きが複合されて、複雑な動きをする独特な映像が映し出され、不思議な映像が映し出される。
【００３９】
次に、図７及び図８は、本発明の実施例３の、請求項４の記載に基づく複合映像を映す万華鏡である。
図７は、合せ鏡が異なる形状ごとに、筒体ごと分割された分割筒体１２が連結された、１本の合せ鏡を付設する複合映像を映す万華鏡の要部斜視図であり、図８は、図７の分解図であり、多段形状構造の合せ鏡を付設する筒体が、異なる合せ鏡の形状ごとに分割された、四つの分割筒体の分解図である。
図７の、本発明の万華鏡を覗いて、本発明のＣＤを応用する手持ちタイプのオブジェクトを見ると、４種類の分割筒体の、異なる組み合わせごとに、異なる映像が映し出され、理科教材としての利用も考えられる。
【００４０】
次に、図９は、本発明の実施例４の、請求項５の記載に基づく複合映像を映す万華鏡である。
図９は、二眼型の万華鏡の１本の合せ鏡に、多段形状構造の合せ鏡３を用い、他の１本には四角形状の合せ鏡８を用いて形成される複合映像を映す万華鏡の要部斜視図と付設される合せ鏡の斜視図である。
図９の、本発明の万華鏡を覗いて、本発明のＣＤを応用する手持ちタイプのオブジェクトを見ると、２本の万華鏡を左右片眼ずつで覗くと、１本の多段構造の合せ鏡には、複合した画像密度の濃い映像が映り、他の１本の合わせ鏡には、画像密度は低いが鮮明な映像が映って見え、両眼で覗くと、全体が複合された映像として映って見える。
【００４１】
次に、図１０は、本発明の実施例５の、請求項７の記載に基づく複合映像を映す万華鏡である。
図１０は、二眼型の万華鏡の１本の万華鏡の奥側の先端部４に透明球レンズ１６を付設する複合映像を映す万華鏡の要部斜視図と付設される合せ鏡の斜視図である。
図１０の、本発明の万華鏡を覗いて、本発明のＣＤを応用する手持ちタイプのオブジェクトを見ると、２本の万華鏡を左右片眼ずつで覗くと、１本の透明球を付設する合せ鏡には、星座のような画像密度の濃い映像が映り、他の１本の合わせ鏡には、画像密度は低いが鮮明な映像が映って見え、両眼で覗くと、全体が複合された映像として映って見える。
【００４２】
次に、図１１は、本発明の実施例６の、請求項８の記載に基づく複合映像を映す万華鏡である。
図１１は、二眼型の万華鏡の斜視図と、付設される三角形状と四角形状の、互いに異なる形状の２本の合せ鏡の斜視図である。
図１１の、本発明の万華鏡を覗いて、本発明のＣＤを応用する手持ちタイプのオブジェクトを見ると、２本の万華鏡を左右片眼ずつで覗くと、三角形１５と四角形８の合せ鏡では映像が異なり、画像密度は低いが鮮明な映像が映って見え、両眼で覗くと、全体が複合された鮮明な映像として映って見える。
【００４３】
次に、図１２は、本発明の実施例７の、請求項９の記載に基づく本発明万華鏡のオブジェクトである。
図１２は、本発明の万華鏡のオブジェクトとして、光透過機能を残して着色され、アクセサリー２０を付着してなるＣＤ１８を、２枚貼り合わせて形成される手持ちタイプのオブジェクトの斜視図である。
光透過機能を残して着色されるＣＤをオブジェクトとして用いる理由は、ＣＤの反射光を着色することにより、独特の、燃える炎のような色彩を、映像にして表現することが可能なことである。
なお、光透過機能を残して着色されるＣＤ反射面に、アクセサリーを適宜に装着することが望ましい。
【００４４】
次に、図１３，図１４，図１５は、本発明の実施例８の、請求項１０の記載に基づく本発明万華鏡のオブジェクトである。
図１３は、光透過機能を有する部材よりなるアクセサリー盤２５の斜視図であり、図１４は、アクセサリー盤がＣＤ反射面に装着される、ＣＤ装着型アクセサリー盤２３の斜視図であり、図１５は、其の分解図である。
上述の、ＣＤ反射面に接合して装着するアクセサリー盤に、光透過機能を残して着色すると、ＣＤ反射面に光透過機能を残して着色する場合と同様の効果が得られる。
また、映り込み防止手段の加工をすることが可能である。
【００４５】
最後に、図１６は、本発明の複合映像を映す万華鏡と其のオブジェクトの使用例図であり、オブジェクトに当てる照明光度を加減し、或いは、オブジェクトの角度を変えることにより、異なる映像を表現することが可能となる。
【００４６】
次に、本発明のその他の実施例を述べる。
本発明の万華鏡の合わせ鏡は、従来型の、各種のオブジェクトを本体に装着する、２ミラータイプ以外の万華鏡の合わせ鏡として用いることも可能である。
【００４７】
請求項１０に記載のオブジェクトにおいて、ＣＤ盤１枚を用意し、そして、アクセサリー盤を複数枚用意して、使用時にアクセサリー盤を適宜に変えて、ＣＤ盤に装着することも可能である。
【００４８】
最近、万華鏡が見直され、万華鏡の綺麗な映像を見て感動すると、脳に刺激が与えられ、脳が活性化するとの、最近の研究が発表されている。
本発明の万華鏡を覗いて、本発明のオブジェクトを見ると、例えば、オブジェクトの着色が赤の場合には、燃える炎や燃えるマグマの様な色彩の、ボリューム感ある華麗な複合映像が映し出され、感動する人が多く見られる。
【００４９】
認知症は、日常生活において、感動することが無くなって来ると発症し易くなると言われている。
このため、特に高齢者には、万華鏡を日常生活に取り入れてもらい、時々見るようにすると、手軽に感動することが可能となり、認知症の予防効果も期待される。
【符号の説明】
【００５０】
１    万華鏡本体
２    筒体
３    合せ鏡    
４    筒先端部、１次映像取込口
５    筒後端部、覗き箇所
６    Ｗ三角形の合せ鏡
７    仕切鏡
８    四角形の合せ鏡
９    ２次映像取込口
１０  円形の合せ鏡
１１  筒保持体
１２  連結型筒体
１３  ３次映像取込口
１４  ４次映像取込口
１５  三角形の合せ鏡
１６  透明球、レンズ
１７  光透過機能を残して着色されるＣＤ反射面
１８  ＣＤ
１９  取手
２０  アクセサリー
２１  光透過機能を残して着色されるアクセサリー盤
２２  アクセサリー盤映り込み防止構造
２３  ＣＤ装着型アクセサリー盤
２４  ＣＤ反射面
２５  アクセサリー盤
２６  オブジェクト
【図１】
2014074872.tif 000003
【図２】
2014074872.tif 000004
【図３】
2014074872.tif 000005
【図４】
2014074872.tif 000006
【図５】
2014074872.tif 000007
【図６】
2014074872.tif 000008
【図７】
2014074872.tif 000009
【図８】
2014074872.tif 000010
【図９】
2014074872.tif 000011
【図１０】
2014074872.tif 000012
【図１１】
2014074872.tif 000013
【図１２】
2014074872.tif 000014
【図１３】
2014074872.tif 000015
【図１４】
2014074872.tif 000016
【図１５】
2014074872.tif 000017
【図１６】
2014074872.tif 000018
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
ボディーとなる筒体内に、鏡面が内向きの合せ鏡を付設してなる、別体のオブジェクトを備える万華鏡において、
該万華鏡の筒体内に付設される合せ鏡は、前記合せ鏡の内部空間の一部を、両面鏡面構造の仕切鏡で仕切って、複数の合わせ鏡の空間に分割し、前記合せ鏡全体の形状構造を、部分的に異なる形状をなす多段形状構造の１本の合せ鏡に形成してなることを特徴とする複合映像を映す万華鏡。
【請求項２】
ボディーとなる筒体内に付設される鏡面が内向きの合せ鏡には、前記合せ鏡の部分的箇所の形状構造が、前記合せ鏡の他の箇所と対比して、部分的に異なる多段形状構造の合せ鏡を用いてなる、別体のオブジェクトを備える万華鏡において、
該万華鏡の筒体内に付設される形状構造が異なる複数の合せ鏡に対応して、前記形状構造が異なる合せ鏡ごとに、筒体共に分割し、且つ、前記分割された合せ鏡を内蔵する分割筒体の、自在な組み合わせが可能な連結構造にして、１本の万華鏡に形成してなることを特徴とする複合映像を映す万華鏡。
【請求項３】
合せ鏡を２本用いて形成される両眼で覗く構造よりなる二眼型の、別体のオブジェクトを備える万華鏡において、
少なくとも、前記２本の合せ鏡の内の１本には、前記合せ鏡の内部空間の一部を、両面鏡面構造の仕切鏡で仕切って複数の合わせ鏡の空間に分割し、前記合せ鏡全体の形状構造を、部分的に異なる形状をなす多段形状構造よりなる合せ鏡を用いてなることを特徴とする複合映像を映す万華鏡。
【請求項４】
万華鏡を２本用いて形成される両眼で覗く構造よりなる二眼型の、別体のオブジェクトを備える万華鏡において、
該二眼型の万華鏡を形成する２本の万華鏡の夫々の構造が互いに異なっているか、或いは、前記２本の万華鏡に付設される合せ鏡の夫々の形状構造が互いに異なっていることを特徴とする複合映像を映す万華鏡。
【請求項５】
合せ鏡を２本用いて形成される両眼で覗く構造よりなる二眼型の、別体のオブジェクトを備える万華鏡において、
該二眼型の万華鏡を形成する２本の万華鏡の、その内の１本は、万華鏡の筒先端が開放され、そして、他の１本の万華鏡の筒先端には、透明球が付設されていて、前記２本の万華鏡の夫々の構造が、互いに異なる構造よりなることを特徴とする請求項４に記載の複合映像を映す万華鏡。
【請求項６】
合せ鏡を２本用いて形成される両眼で覗く構造よりなる二眼型の、別体のオブジェクトを備える万華鏡において、
該二眼型の万華鏡を形成する２本の万華鏡に付設される合せ鏡の構造は、その内の１本の万華鏡に付設される合せ鏡の形状構造は、四角形状であり、そして、他の１本の万華鏡の合せ鏡は、三角形状よりなることを特徴とする請求項４に記載の複合映像を映す万華鏡。
【請求項７】
ＣＤ（ＤＶＤ盤を含む）反射面に光透過機能を残して着色し、且つ、前記反射面にアクセサリーを付着してなる着色ＣＤ（ＤＶＤ盤を含む）を、請求項１ないし６のいずれか一項に記載の万華鏡のオブジェクトとして用いてなることを特徴とする複合映像を映す万華鏡のオブジェクト。
【請求項８】
ＣＤ（ＤＶＤ盤を含む）反射面に取付ける、光透過機能を有する部材からなると共に、映り込み防止手段が施され、且つ、アクセサリーを付着してなる、アクセサリー盤であるか、或いは、前記アクセサリー盤に、光透過機能を残して着色してなるアクセサリー盤である、前記二種類のアクセサリー盤であって、
前記二種類のアクセサリー盤の内のいずれか一つを、ＣＤ（ＤＶＤ盤を含む）反射面に装着して、ＣＤ装着型アクセサリー盤を設け、且つ、前記ＣＤ装着型アクセサリー盤を、請求項１ないし６のいずれか一項に記載の万華鏡のオブジェクトとして用いてなることを特徴とする複合映像を映す万華鏡のオブジェクト。
【手続補正２】
【補正対象書類名】明細書
【補正対象項目名】全文
【補正方法】変更
【補正の内容】
【発明の詳細な説明】
【技術分野】
【０００１】
本発明は、複合映像を映し出す万華鏡、及び、これに用いるオブジェクトに関するものである。
【背景技術】
【０００２】
従来、芸術性を求める本格的な２ミラータイプの万華鏡は、映し出される映像が、図形に隙間ができないように、また、図形同士が重ならないようにして、何種類かの図形で覆い尽くされたタイリングでできていて、其の魅力は図柄と色彩美にある。
本発明は、上述のような万華鏡とは異なり、独特の、複合された画像密度の濃い、燃える炎のような華麗な色彩の、ボリューム感ある映像を映し出すことが特徴であり、燃える炎のような華麗な色彩表現に特化した万華鏡である。
【０００３】
従来の、万華鏡の構造は、万華鏡本体が、少なくとも、筒体のボディーと、合せ鏡により構成され、そして、オブジェクトは、ボディーに固定された一体型タイプのものが主流であり、チェンバースコープ、ワンドスコープ、オイルスコープ、ホイルスコープ、マーブルスコープ等と呼ばれる各種構造の万華鏡が存在する。
他に、テレイドスコープと呼ばれる万華鏡の奥側の先端部に、透明球のレンズが固着され、花や自然の風景をオブジェクトとして見るタイプの万華鏡がある。
その他のものとしては、特許文献８のように、万華鏡本体とオブジェクトを別個にした分離型タイプがあり、オブジェクトを別に設置して見る構造になっていて、本発明のように、オブジェクトを手で持つ構造にすることもできる。
【０００４】
従来、一般的に見受けられる万華鏡は、１本の筒体からなる、片眼で覗く一眼型の万華鏡であるが、両眼で覗く、二眼型の万華鏡も見受けられる。
一眼型の万華鏡には、１本の合せ鏡が付設され、合せ鏡全体の形状構造が、同一の形状構造となっている。
なお、本発明において、合せ鏡全体の形状構造が同一の形状構造とされる合せ鏡の構造の中には、合せ鏡の側面全体が傾斜して、両端断面の大きさが異なる細長い台形状の構造の合せ鏡も含まれるものとする。
そして従来の、二眼型の万華鏡には、２本の合せ鏡が付設され、２本の合せ鏡の全体の形状構造は、全体が同一の形状構造となっている。
上述の、二眼型の万華鏡における２本の合せ鏡を収納する筒体の構造には、２本の筒体に夫々合せ鏡を１本ずつ収納するタイプと、１本の筒体に２本の合せ鏡を収納するタイプがある。
【０００５】
次に、万華鏡とセットとなるオブジェクトに関し、一般的に見受けられるものは、万華鏡本体にオブジェクトが付設されている一体型になっていて、オブジェクトの構造は小さい貝殻などのアクセサリーが容器に入れられ手いる。
他に、オブジェクトとして、ＣＤをそのまま万華鏡先端に取付けたものも見受けられ、万華鏡本体と一体構造になっている。
【０００６】
従来、２本の万華鏡が組み合わされる二眼型の万華鏡には、特許文献１のように、同一構造の万華鏡、或いは、全体が単一形状の合せ鏡を付設する万華鏡が用いられている。
一方、本発明の万華鏡のように、万華鏡のボディーに付設する１本の合せ鏡の形状構造が単一構造でなく部分的に異なる構造であるもの、及び、合せ鏡を２本用いる二眼型の万華鏡において、２本の合せ鏡の形状構造が互いに異なるもの、並びに、２本の万華鏡を用いる二眼型の万華鏡において、２本の万華鏡の構造が互いに異なるものは、従来見受けられないものである。
また、本発明の万華鏡に用いるオブジェクトのように、光透過機能を残して着色されるＣＤを用いるオブジェクト、並びに、アクセサリー盤がＣＤ反射面に接合して装着されるＣＤ装着型アクセサリー盤は、従来見受けられないものである。
【先行技術文献】
【特許文献】
【０００７】
【特許文献１】登録実用新案  第３００５０５１号  公報
【特許文献２】登録実用新案  第３０４２７５２号  公報
【特許文献３】特許公開  ２０００−１５５２８７号  公報
【特許文献４】特許公開  ２００４−２３３５０２号  公報
【特許文献５】登録実用新案  第３１１２９０７号  公報
【特許文献６】特許公開  ２００４−９４２２６号  公報
【特許文献７】特許公開２０１２−８５０７号  公報
【特許文献８】特許公開２００５−１６９０３８号  公報
【特許文献９】登録実用新案  第３１７０１８７号  公報
【特許文献１０】特許公開  ２００６−２８７８９６号  公報
【特許文献１１】特許公開  昭和５５−５２０１０号  公報
【発明の概要】
【発明が解決しようとする課題】
【０００８】
本発明は、画像密度の濃い、燃えるような華麗な色彩の、ボリューム感ある映像を映し出すことが可能な万華鏡及び其のオブジェクトを提供することを目的とする。
【課題を解決するための手段】
【０００９】
上記課題の解決手段として、１本の合せ鏡の全体の形状構造が単一構造ではなく、形状構造が部分的に異なる多段構造の合せ鏡を付設する万華鏡を設けるか、或いは、異なる構造の２本の万華鏡を用いる二眼型の万華鏡を設ける。
そしてオブジェクトは、ＣＤ（ＤＶＤ盤を含む、以後同様）を応用し、着色されたＣＤ反射面から発する燃える炎のような反射光を応用する。
続いて、上記課題を解決する手段（１）〜（８）について述べる。
【００１０】
（１）
ボディーとなる筒体内に、鏡面が内向きの合せ鏡を付設してなる、別体のオブジェクトを備える万華鏡において、
該万華鏡の筒体内に付設される合せ鏡は、前記合せ鏡の内部空間の一部を、両面鏡面構造の仕切鏡で仕切って、複数の合わせ鏡の空間に分割し、前記合せ鏡全体の形状構造を、部分的に異なる形状をなす多段形状構造の１本の合せ鏡に形成してなることを特徴とする複合映像を映す万華鏡を設ける。
【００１１】
（２）
ボディーとなる筒体内に付設される鏡面が内向きの合せ鏡には、前記合せ鏡の部分的箇所の形状構造が、前記合せ鏡の他の箇所と対比して、部分的に異なる多段形状構造の合せ鏡を用いてなる、別体のオブジェクトを備える万華鏡において、
該万華鏡の筒体内に付設される形状構造が異なる複数の合せ鏡に対応して、前記形状構造が異なる合せ鏡ごとに、筒体共に分割し、且つ、前記分割された合せ鏡を内蔵する分割筒体の、自在な組み合わせが可能な連結構造にして、１本の万華鏡に形成してなることを特徴とする複合映像を映す万華鏡を設ける。
【００１２】
（３）
合せ鏡を２本用いて形成される両眼で覗く構造よりなる二眼型の、別体のオブジェクトを備える万華鏡において、
少なくとも、前記２本の合せ鏡の内の１本には、前記合せ鏡の内部空間の一部を、両面鏡面構造の仕切鏡で仕切って複数の合わせ鏡の空間に分割し、前記合せ鏡全体の形状構造を、部分的に異なる形状をなす多段形状構造よりなる合せ鏡を用いてなることを特徴とする複合映像を映す万華鏡を設ける。
【００１３】
なお、上述において、多段形状構造の合せ鏡は、２本の内の１本に限定して用いるか、或いは、２本とも多段形状構造の合せ鏡を用いることが出来る。
【００１４】
（４）
万華鏡を２本用いて形成される両眼で覗く構造よりなる二眼型の、別体のオブジェクトを備える万華鏡において、
該二眼型の万華鏡を形成する２本の万華鏡の夫々の構造が互いに異なっているか、或いは、前記２本の万華鏡に付設される合せ鏡の夫々の形状構造が互いに異なっていることを特徴とする複合映像を映す万華鏡を設ける。
【００１５】
（５）
合せ鏡を２本用いて形成される両眼で覗く構造よりなる二眼型の、別体のオブジェクトを備える万華鏡において、
該二眼型の万華鏡を形成する２本の万華鏡の、その内の１本は、万華鏡の筒先端が開放され、そして、他の１本の万華鏡の筒先端には、透明球が付設されていて、前記２本の万華鏡の夫々の構造が、互いに異なる構造よりなることを特徴とする請求項４に記載の複合映像を映す万華鏡を設ける。
【００１６】
（６）
合せ鏡を２本用いて形成される両眼で覗く構造よりなる二眼型の、別体のオブジェクトを備える万華鏡において、
該二眼型の万華鏡を形成する２本の万華鏡に付設される合せ鏡の構造は、その内の１本の万華鏡に付設される合せ鏡の形状構造は、四角形状であり、そして、他の１本の万華鏡の合せ鏡は、三角形状よりなることを特徴とする請求項４に記載の複合映像を映す万華鏡を設ける。
【００１７】
（７）
ＣＤ（ＤＶＤ盤を含む）反射面に光透過機能を残して着色し、且つ、前記反射面にアクセサリーを付着してなる着色ＣＤ（ＤＶＤ盤を含む）を、請求項１ないし６のいずれか一項に記載の万華鏡のオブジェクトとして用いてなることを特徴とする複合映像を映す万華鏡のオブジェクトを設ける。
【００１８】
なお、ＣＤを応用するオブジェクトは、うちわの様な手持ちタイプ、或いは、ターンテーブルに飾って回転させるタイプ等、適宜な方法で用いることができる。
アクセサリーは、反射性を有するものが望ましい。
【００１９】
（８）
ＣＤ（ＤＶＤ盤を含む）反射面に取付ける、光透過機能を有する部材からなると共に、映り込み防止手段が施され、且つ、アクセサリーを付着してなる、アクセサリー盤であるか、或いは、前記アクセサリー盤に、光透過機能を残して着色してなるアクセサリー盤である、前記二種類のアクセサリー盤であって、
前記二種類のアクセサリー盤の内のいずれか一つを、ＣＤ（ＤＶＤ盤を含む）反射面に装着して、ＣＤ装着型アクセサリー盤を設け、且つ、前記ＣＤ装着型アクセサリー盤を、請求項１ないし６のいずれか一項に記載の万華鏡のオブジェクトとして用いてなることを特徴とする複合映像を映す万華鏡のオブジェクトを設ける。
【００２０】
なお、ＣＤ装着型アクセサリー盤を用いるオブジェクトは、うちわの様な手持ちタイプ、或いは、ターンテーブルに飾って回転させるタイプ等、適宜な方法で用いることができる。
上述の、アクセサリー盤への着色は、基本的には、映り込み防止構造を設けていない裏面に着色するが、アクセサリー盤表面への着色も可能である。
そして、アクセサリー盤への映り込み防止手段は、アクセサリー盤表面に、映り込み防止の凹凸構造を施すか、或いは、映り込み防止剤をコーティングするか、或いは、映り込み防止フイルムを貼り付けるなどの手段を用いる。
【００２１】
以上が課題を解決する手段に関する。
【発明の効果】
【００２２】
本発明は、請求項１〜請求項８に記載したように構成されているので、以下のような効果が期待される。
【００２３】
請求項１の発明においては、万華鏡を覗いてオブジェクトを見ると、画像密度の濃い複合映像が映し出される。
【００２４】
次に、請求項２の発明においては、分割された複数の連結型筒体を自在に組み合わせ、組み合わせの違いによる映像の変化を楽しむことができ、また、理科教材としての使用が望まれる。
【００２５】
次に、請求項３の発明においては、二眼型の万華鏡を覗いてオブジェクトを見ると、ボリューム感のある画像密度の濃い複合映像が映し出される。
【００２６】
次に、請求項４の発明のように、両眼で覗く構造よりなる二眼型の万華鏡において、二眼型の万華鏡を形成する２本の万華鏡の夫々の構造を互いに異なる構造にすることにより、上述の二眼型の万華鏡を覗いてオブジェクトを見ると、左右の合せ鏡に写る異なる映像が重なって、複合映像として見られる。
請求項５の万華鏡は筒先端開放型と筒先端透明球付きの組み合わせであり、そして、請求項６の万華鏡は、四角形の合せ鏡と三角形の合せ鏡の組み合わせとなっていて、上述の二眼型の万華鏡を覗いてオブジェクトを見ると、左右の合せ鏡に写る異なる映像が重なって、複合映像として見られる。
【００２７】
次に、請求項７の発明においては、光透過機能を残して着色され、アクセサリーを付着してなるＣＤをオブジェクトとすることにより、燃える炎のような、独特の華麗な色彩を、映像で表現することができる。
【００２８】
次に、請求項８の発明においては、アクセサリー盤への映り込み防止ができ、綺麗な映像を見ることが出来る。
また、ＣＤ盤１枚に対し、アクセサリー盤多数とのセット対応も可能である。
【００２９】
アクセサリー盤への映り込み防止には、アクセサリー盤表面に、映り込み防止の凹凸構造を施すか、或いは、映り込み防止剤をコーティングするか、或いは、映り込み防止フイルムを貼り付けるなどの手段を用いる。    
着色したアクセサリー盤は、ＣＤに重ねるとＣＤ反射光を着色することが可能で、ＣＤ反射光を燃える炎のような華麗な色彩に変化させることが可能となり、万華鏡のオブジェクトとして用いることができる。
【００３０】
以上が発明の効果に関する。
【図面の簡単な説明】
【００３１】
【図１】本発明の、請求項１の記載に基づく、合わせ鏡の奥側部分は、四角形が分割されたＷ三角形であり、手前部分の合わせ鏡は四角形状になっている、合せ鏡の形状構造が部分的に異なる多段形状構造になっている複合映像を映す万華鏡の要部斜視図である。
【図２】図１の内部側面図である。
【図３】図１の奥側先端の正面図である。
【図４】本発明の、参考例図であり、奥側部分の合わせ鏡は、円形状であり、手前部分の合わせ鏡は四角形状になっている、合せ鏡の形状構造が部分的に異なる多段形状構造になっている複合映像を映す万華鏡の要部斜視図である。
【図５】図４の内部側面図である。
【図６】図４の奥側先端の正面図である。
【図７】本発明の、請求項２の記載に基づく、合せ鏡が異なる形状ごとに、筒体ごと分割された分割筒体が連結された、１本の合せ鏡を付設する複合映像を映す万華鏡の要部斜視図と其の内部図である。
【図８】図７の分解図である。
【図９】本発明の、請求項３の記載に基づく、二眼型の万華鏡の１本の合せ鏡に、多段形状構造の合せ鏡を用いる複合映像を映す万華鏡の要部斜視図と、付設される合せ鏡の斜視図である。
【図１０】本発明の、請求項５の記載に基づく、二眼型の万華鏡の１本の奥側先端に透明球を付設する複合映像を映す万華鏡の要部斜視図と、付設される合せ鏡の斜視図である。
【図１１】本発明の、請求項６の記載に基づく、二眼型の万華鏡の斜視図と、付設される三角形状と四角形状の、互いに異なる形状の２本の合せ鏡の斜視図である。
【図１２】本発明の、請求項７の記載に基づく、アクセサリーを付着する、着色されたＣＤを２枚用いて構成される手持ちタイプのオブジェクトの斜視図である。
【図１３】本発明の、請求項８の記載に基づく、アクセサリー盤の斜視図である。
【図１４】図１３のアクセサリー盤がＣＤ反射面に装着される、ＣＤ装着型アクセサリー盤の斜視図である。＊――／＊＊＊＊＊＊／＊／／／／／／／／／／／／／／／／
【図１５】図１４の分解図である。
【図１６】本発明の、請求項７に基づく、アクセサリー付き着色CD盤、及び、請求項８に基づく、CD装着型アクセサリー盤が、テーブルに取り付けられる自動回転タイプのオブジェクトの斜視図である。
【図１７】本発明の、複合映像を映す万華鏡とオブジェクトの使用例図である。
【発明を実施するための形態】
【００３２】
以下、本発明の実施の形態について図面を参照して説明する。
図１〜図３は、本発明の実施例１の、請求項１の記載に基づく複合映像を映す万華鏡である。
図１は、筒体２に付設される1本の四角形状の合わせ鏡８の奥側の先端部４の１次映像取込口が、仕切鏡７により二つの合せ鏡の空間に分割されて、二つの三角形が合わさるＷ三角形状６に形成される多段形状構造よりなる合せ鏡を付設する、本発明の万華鏡の要部斜視図であり、図２は其の内部側面図であり、図３は万華鏡奥側の先端部４の正面図である。
図１の万華鏡で、本発明のＣＤを応用するオブジェクトを見ると、被写体を筒先端の1段目のＷ三角形状の合せ鏡に映像として取り込むことにより、前記1段目のＷ三角形状の合せ鏡に映る映像が、２段目の四角形状の合せ鏡に取り入れられることにより、全体が単一構造の合せ鏡を付設する万華鏡と比較して、画像密度の濃い映像が映し出されることが特徴である。
また、オブジェクトを動かすと、Ｗ三角形状の合せ鏡と、四角形状の合わせ鏡の動きが複合される複雑な動きの映像が映し出される。
【００３３】
図１の、本発明の万華鏡を覗いて、本発明のＣＤを応用するオブジェクトを見ると、被写体を筒先端の1段目のＷ三角形状の合せ鏡に映像として取り込むことにより、前記1段目のＷ三角形状の合せ鏡に映る映像が、２段目の四角形状の合せ鏡に取り入れられ、これにより、全体が単一構造の合せ鏡を付設する万華鏡と比較して、本発明の万華鏡は、画像が複合された画像密度の濃い映像として映し出されることが特徴である。
【００３４】
次に、図４〜図６は、本発明の実施例２の、本発明の万華鏡に関係する参考例図である。
図４は、筒先端部４に付設される円形状の合わせ鏡１０と、筒後端部５に付設される四角形状の合せ鏡８により形成される多段形状構造よりなる合せ鏡を付設する、本発明の万華鏡の要部斜視図であり、図２は其の内部側面図であり、図３は万華鏡奥側の先端部の正面図である。
図４の、本発明の万華鏡を覗いて、本発明のＣＤを応用する手持ちタイプのオブジェクトを見ると、1段目の円形状の合わせ鏡には、オブジェクトのアクセサリーの実像が歪んで混ざり合い、帯状の渦巻き状の映像となって映る。
そして、1段目の帯状の映像が元になって、2段目の四角形状の合わせ鏡に映るが、2段目の合わせ鏡には、前記帯状になったアクセサリーの映像が復元されてアクセサリーの実像が映し出される。
そして、上述の、手にするオブジェクトを微動させると、合わせ鏡には、前後左右に丸太が転がるような映像と、それと同時に、中心部では渦が巻いているような映像が複合して、円形状の合わせ鏡と四角形状の合わせ鏡の映像の動きが複合されて、複雑な動きをする独特な映像が映し出され、不思議な映像が映し出される。
【００３５】
次に、図７及び図８は、本発明の実施例３の、請求項２の記載に基づく複合映像を映す万華鏡である。
図７は、合せ鏡が異なる形状ごとに、筒体ごと分割された連結型筒体１２が連結された、１本の合せ鏡を付設する複合映像を映す万華鏡の要部斜視図であり、図８は、図７の分解図であり、多段形状構造の合せ鏡を付設する筒体が、異なる合せ鏡の形状ごとに分割された、四つの連結型筒体の分解図である。
図７の、本発明の万華鏡を覗いて、本発明のＣＤを応用する手持ちタイプのオブジェクトを見ると、４種類の分割筒体の、異なる組み合わせごとに、異なる映像が映し出され、理科教材としての利用も考えられる。
【００３６】
次に、図９は、本発明の実施例４の、請求項３の記載に基づく複合映像を映す万華鏡である。
図９は、二眼型の万華鏡の１本の合せ鏡に、多段形状構造の合せ鏡３を用い、他の１本には四角形状の合せ鏡８を用いて形成される複合映像を映す万華鏡の要部斜視図と付設される合せ鏡の斜視図である。
図９の、本発明の万華鏡を覗いて、本発明のＣＤを応用する手持ちタイプのオブジェクトを見ると、２本の万華鏡を左右片眼ずつで覗くと、１本の多段構造の合せ鏡には、複合した画像密度の濃い映像が映り、他の１本の合わせ鏡には、画像密度は低いが鮮明な映像が映って見え、両眼で覗くと、全体が複合された映像として映って見える。
【００３７】
次に、図１０は、本発明の実施例５の、請求項５の記載に基づく複合映像を映す万華鏡である。
図１０は、二眼型の万華鏡の１本の万華鏡の奥側の先端部４に透明球１６を付設する複合映像を映す万華鏡の要部斜視図と付設される合せ鏡の斜視図である。
図１０の、本発明の万華鏡を覗いて、本発明のＣＤを応用する手持ちタイプのオブジェクトを見ると、２本の万華鏡を左右片眼ずつで覗くと、１本の透明球を付設する合せ鏡には、星座のような画像密度の濃い映像が映り、他の１本の合わせ鏡には、画像密度は低いが鮮明な映像が映って見え、両眼で覗くと、全体が複合された映像として映って見える。
【００３８】
次に、図１１は、本発明の実施例６の、請求項６の記載に基づく複合映像を映す万華鏡である。
図１１は、二眼型の万華鏡の斜視図と、付設される三角形状１５と四角形状８の、互いに異なる形状の２本の合せ鏡の斜視図である。
図１１の、本発明の万華鏡を覗いて、本発明のＣＤを応用する手持ちタイプのオブジェクトを見ると、２本の万華鏡を左右片眼ずつで覗くと、三角形１５と四角形８の合せ鏡では映像が異なり、画像密度は低いが鮮明な映像が映って見え、両眼で覗くと、全体が複合された鮮明な映像として映って見える。
【００３９】
次に、図１２は、本発明の実施例７の、請求項７の記載に基づく本発明万華鏡のオブジェクトである。
図１２は、本発明の万華鏡のオブジェクトとして、光透過機能を残して着色され、アクセサリー２０を付着してなるＣＤ１８を、２枚貼り合わせて形成される手持ちタイプのオブジェクトの斜視図である。
光透過機能を残して着色されるＣＤをオブジェクトとして用いる理由は、ＣＤの反射光を着色することにより、独特の、燃える炎のような色彩を、映像にして表現することが可能なことである。
なお、光透過機能を残して着色されるＣＤ反射面に、アクセサリーを適宜に装着することが望ましい。
【００４０】
次に、図１３，図１４，図１５は、本発明の実施例８の、請求項８の記載に基づく本発明万華鏡のオブジェクトである。
図１３は、光透過機能を有する部材よりなるアクセサリー盤２５の斜視図であり、図１４は、アクセサリー盤がＣＤ反射面に装着される、ＣＤ装着型アクセサリー盤２３の斜視図であり、図１５は、其の分解図である。
上述の、ＣＤ反射面に接合して装着するアクセサリー盤２５に、光透過機能を残して着色すると、ＣＤ反射面に光透過機能を残して着色する場合と同様の効果が得られる。
また、映り込み防止手段の加工をすることが可能である。
【００４１】
次に、図１６は、本発明の請求項７に基づく、アクセサリー付き着色CD盤、及び、請求項８に基づく、CD装着型アクセサリー盤が、テーブル２７に取り付けられる自動回転タイプのオブジェクトである。
【００４２】
最後に、図１７は、本発明の複合映像を映す万華鏡と其のオブジェクトの使用例図であり、オブジェクトに当てる照明光度を加減し、或いは、オブジェクトの角度を変えることにより、異なる映像を表現することが可能となる。
【００４３】
次に、本発明のその他の実施例を述べる。
本発明の万華鏡の合わせ鏡は、従来型の、各種のオブジェクトを本体に装着する、２ミラータイプ以外の万華鏡の合わせ鏡として用いることも可能である。
【００４４】
請求項８に記載のオブジェクトにおいて、ＣＤ盤１枚を用意し、そして、アクセサリー盤を複数枚用意して、使用時にアクセサリー盤を適宜に変えて、ＣＤ盤に装着することも可能である。
【００４５】
最近、万華鏡が見直され、万華鏡の綺麗な映像を見て感動すると、脳に刺激が与えられ、脳が活性化するとの、最近の研究が発表されている。
本発明の万華鏡を覗いて、本発明のオブジェクトを見ると、例えば、オブジェクトの着色が赤の場合には、燃える炎や燃えるマグマの様な色彩の、ボリューム感ある華麗な複合映像が映し出され、感動する人が多く見られる。
【００４６】
認知症は、日常生活において、感動することが無くなって来ると発症し易くなると言われている。
このため、特に高齢者には、万華鏡を日常生活に取り入れてもらい、時々見るようにすると、手軽に感動することが可能となり、認知症の予防効果も期待される。
【符号の説明】
【００４７】
１    万華鏡本体
２    筒体
３    合せ鏡    
４    筒先端部、１次映像取込口
５    筒後端部、覗き箇所
６    Ｗ三角形の合せ鏡
７    仕切鏡
８    四角形の合せ鏡
９    ２次映像取込口
１０  円形の合せ鏡
１１  筒保持体
１２  連結＊＊＊＊＊***************型筒体
１３  ３次映像取込口
１４  ４次映像取込口
１５  三角形の合せ鏡
１６  透明球
１７  光透過機能を残して着色されるＣＤ反射面
１８  ＣＤ
１９  取手
２０  アクセサリー
２１  光透過機能を残して着色されるアクセサリー盤
２２  アクセサリー盤映り込み防止構造
２３  ＣＤ装着型アクセサリー盤
２４  ＣＤ反射面
２５  アクセサリー盤
２６  オブジェクト
２７  テーブル
２８  回転装置を内蔵する台座
２９  アクセサリー
３０  アクセサリー付き着色CD
【手続補正３】
【補正対象書類名】図面
【補正対象項目名】図１
【補正方法】変更
【補正の内容】
【図１】
2014074872.tif 000019
【手続補正４】
【補正対象書類名】図面
【補正対象項目名】図９
【補正方法】変更
【補正の内容】
【図９】
2014074872.tif 000020
【手続補正５】
【補正対象書類名】図面
【補正対象項目名】図１６
【補正方法】変更
【補正の内容】
【図１６】
2014074872.tif 000021
【手続補正６】
【補正対象書類名】図面
【補正対象項目名】図１７
【補正方法】変更
【補正の内容】
【図１７】
2014074872.tif 000022
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
ボディーとなる筒体内に付設される鏡面が内向きの合せ鏡には、前記合せ鏡の部分的箇所の形状構造が、前記合せ鏡の他の箇所と対比して、部分的に異なる多段形状構造の合せ鏡を用いてなる、別体のオブジェクトを備える万華鏡において、
該万華鏡の筒体内に付設される形状構造が異なる複数の合せ鏡に対応して、前記形状構造が異なる合せ鏡ごとに、筒体共に分割し、且つ、前記分割された合せ鏡を内蔵する分割筒体の、自在な組み合わせが可能な連結構造にして、１本の万華鏡に形成してなることを特徴とする複合映像を映す万華鏡。
【請求項２】
合せ鏡を２本用いて形成される両眼で覗く構造よりなる二眼型の、別体のオブジェクトを備える万華鏡において、
少なくとも、前記２本の合せ鏡の内の１本には、前記合せ鏡の内部空間の一部を、両面鏡面構造の仕切鏡で仕切って複数の合わせ鏡の空間に分割し、前記合せ鏡全体の形状構造を、部分的に異なる形状をなす多段形状構造よりなる合せ鏡を用いてなることを特徴とする複合映像を映す万華鏡。
【請求項３】
万華鏡を２本用いて形成される両眼で覗く構造よりなる二眼型の、別体のオブジェクトを備える万華鏡において、
該二眼型の万華鏡を形成する２本の万華鏡の夫々の構造が互いに異なっていることにより、該２本の万華鏡の合わせ鏡に映る前記オブジェクトの映像が夫々異なるか、或いは、前記２本の万華鏡に付設される合せ鏡の夫々の形状構造が互いに異なっていることにより、該２本の万華鏡の合わせ鏡に映る前記オブジェクトの映像が夫々異なることを特徴とする複合映像を映す万華鏡。
【請求項４】
合せ鏡を２本用いて形成される両眼で覗く構造よりなる二眼型の、別体のオブジェクトを備える万華鏡において、
該二眼型の万華鏡を形成する２本の万華鏡の、その内の１本は、万華鏡の筒先端が開放され、そして、他の１本の万華鏡の筒先端には、透明球が付設されていて、前記２本の万華鏡の夫々の構造が、互いに異なる構造よりなることを特徴とする請求項３に記載の複合映像を映す万華鏡。
【請求項５】
合せ鏡を２本用いて形成される両眼で覗く構造よりなる二眼型の、別体のオブジェクトを備える万華鏡において、
該二眼型の万華鏡を形成する２本の万華鏡に付設される合せ鏡の構造は、その内の１本の万華鏡に付設される合せ鏡の形状構造は、四角形状であり、そして、他の１本の万華鏡の合せ鏡は、三角形状よりなることを特徴とする請求項３に記載の複合映像を映す万華鏡。
【請求項６】
ＣＤ（ＤＶＤ盤を含む）反射面に光透過機能を残して着色し、且つ、前記反射面にアクセサリーを付着してなる着色ＣＤ（ＤＶＤ盤を含む）を、請求項１ないし５のいずれか一項に記載の万華鏡のオブジェクトとして用いてなることを特徴とする複合映像を映す万華鏡のオブジェクト。
【請求項７】
ＣＤ（ＤＶＤ盤を含む）反射面に取付ける、光透過機能を有する部材からなると共に、映り込み防止手段が施され、且つ、アクセサリーを付着してなる、アクセサリー盤であるか、或いは、前記アクセサリー盤に、光透過機能を残して着色してなるアクセサリー盤である、前記二種類のアクセサリー盤であって、
前記二種類のアクセサリー盤の内のいずれか一つを、ＣＤ（ＤＶＤ盤を含む）反射面に装着して、ＣＤ装着型アクセサリー盤を設け、且つ、前記ＣＤ装着型アクセサリー盤を、請求項１ないし５のいずれか一項に記載の万華鏡のオブジェクトとして用いてなることを特徴とする複合映像を映す万華鏡のオブジェクト。
【手続補正２】
【補正対象書類名】明細書
【補正対象項目名】全文
【補正方法】変更
【補正の内容】
【発明の詳細な説明】
【技術分野】
【０００１】
本発明は、複合映像を映し出す万華鏡、及び、これに用いるオブジェクトに関するものである。
【背景技術】
【０００２】
従来、芸術性を求める本格的な２ミラータイプの万華鏡は、映し出される映像が、図形に隙間ができないように、また、図形同士が重ならないようにして、何種類かの図形で覆い尽くされたタイリングでできていて、其の魅力は図柄と色彩美にある。
本発明は、上述のような万華鏡とは異なり、独特の、複合された画像密度の濃い、燃える炎のような華麗な色彩の、ボリューム感ある映像を映し出すことが特徴であり、燃える炎のような華麗な色彩表現に特化した万華鏡である。
【０００３】
従来の、万華鏡の構造は、万華鏡本体が、少なくとも、筒体のボディーと、合せ鏡により構成され、そして、オブジェクトは、ボディーに固定された一体型タイプのものが主流であり、チェンバースコープ、ワンドスコープ、オイルスコープ、ホイルスコープ、マーブルスコープ等と呼ばれる各種構造の万華鏡が存在する。
他に、テレイドスコープと呼ばれる万華鏡の奥側の先端部に、透明球のレンズが固着され、花や自然の風景をオブジェクトとして見るタイプの万華鏡がある。
その他のものとしては、特許文献８のように、万華鏡本体とオブジェクトを別個にした分離型タイプがあり、オブジェクトを別に設置して見る構造になっていて、本発明のように、オブジェクトを手で持つ構造にすることもできる。
【０００４】
従来、一般的に見受けられる万華鏡は、１本の筒体からなる、片眼で覗く一眼型の万華鏡であるが、両眼で覗く、二眼型の万華鏡も見受けられる。
一眼型の万華鏡には、１本の合せ鏡が付設され、合せ鏡全体の形状構造が、同一の形状構造となっている。
なお、本発明において、合せ鏡全体の形状構造が同一の形状構造とされる合せ鏡の構造の中には、合せ鏡の側面全体が傾斜して、両端断面の大きさが異なる細長い台形状の構造の合せ鏡も含まれるものとする。
そして従来の、二眼型の万華鏡には、２本の合せ鏡が付設され、２本の合せ鏡の全体の形状構造は、全体が同一の形状構造となっている。
上述の、二眼型の万華鏡における２本の合せ鏡を収納する筒体の構造には、２本の筒体に夫々合せ鏡を１本ずつ収納するタイプと、１本の筒体に２本の合せ鏡を収納するタイプがある。
【０００５】
次に、万華鏡とセットとなるオブジェクトに関し、一般的に見受けられるものは、万華鏡本体にオブジェクトが付設されている一体型になっていて、オブジェクトの構造は小さい貝殻などのアクセサリーが容器に入れられている。
他に、オブジェクトとして、ＣＤをそのまま万華鏡先端に取付けたものも見受けられ、万華鏡本体と一体構造になっている。
【０００６】
従来、２本の万華鏡が組み合わされる二眼型の万華鏡には、特許文献１のように、同一構造の万華鏡、或いは、全体が単一形状の合せ鏡を付設する万華鏡が用いられている。
一方、本発明の万華鏡のように、万華鏡のボディーに付設する１本の合せ鏡の形状構造が単一構造でなく部分的に異なる構造であるもの、及び、合せ鏡を２本用いる二眼型の万華鏡において、２本の合せ鏡の形状構造が互いに異なるもの、並びに、２本の万華鏡を用いる二眼型の万華鏡において、２本の万華鏡の構造が互いに異なるものは、従来見受けられないものである。
また、本発明の万華鏡に用いるオブジェクトのように、光透過機能を残して着色されるＣＤを用いるオブジェクト、並びに、アクセサリー盤がＣＤ反射面に接合して装着されるＣＤ装着型アクセサリー盤は、従来見受けられないものである。
【先行技術文献】
【特許文献】
【０００７】
【特許文献１】登録実用新案  第３００５０５１号  公報
【特許文献２】登録実用新案  第３０４２７５２号  公報
【特許文献３】特許公開  ２０００−１５５２８７号  公報
【特許文献４】特許公開  ２００４−２３３５０２号  公報
【特許文献５】登録実用新案  第３１１２９０７号  公報
【特許文献６】特許公開  ２００４−９４２２６号  公報
【特許文献７】特許公開２０１２−８５０７号  公報
【特許文献８】特許公開２００５−１６９０３８号  公報
【特許文献９】登録実用新案  第３１７０１８７号  公報
【特許文献１０】特許公開  ２００６−２８７８９６号  公報
【特許文献１１】特許公開  昭和５５−５２０１０号  公報
【発明の概要】
【発明が解決しようとする課題】
【０００８】
本発明は、画像密度の濃い、燃えるような華麗な色彩の、ボリューム感ある映像を映し出すことが可能な万華鏡及び其のオブジェクトを提供することを目的とする。
【課題を解決するための手段】
【０００９】
上記課題の解決手段として、１本の合せ鏡の全体の形状構造が単一構造ではなく、形状構造が部分的に異なる多段構造の合せ鏡を付設する万華鏡を設けるか、或いは、異なる構造の２本の万華鏡を用いる二眼型の万華鏡を設ける。
そしてオブジェクトは、ＣＤ（ＤＶＤ盤を含む、以後同様）を応用し、着色されたＣＤ反射面から発する燃える炎のような反射光を応用する。
続いて、上記課題を解決する手段（１）〜（７）について述べる。
【００１０】
（１）
ボディーとなる筒体内に付設される鏡面が内向きの合せ鏡には、前記合せ鏡の部分的箇所の形状構造が、前記合せ鏡の他の箇所と対比して、部分的に異なる多段形状構造の合せ鏡を用いてなる、別体のオブジェクトを備える万華鏡において、
該万華鏡の筒体内に付設される形状構造が異なる複数の合せ鏡に対応して、前記形状構造が異なる合せ鏡ごとに、筒体共に分割し、且つ、前記分割された合せ鏡を内蔵する分割筒体の、自在な組み合わせが可能な連結構造にして、１本の万華鏡に形成してなることを特徴とする複合映像を映す万華鏡を設ける。
【００１１】
（２）
合せ鏡を２本用いて形成される両眼で覗く構造よりなる二眼型の、別体のオブジェクトを備える万華鏡において、
少なくとも、前記２本の合せ鏡の内の１本には、前記合せ鏡の内部空間の一部を、両面鏡面構造の仕切鏡で仕切って複数の合わせ鏡の空間に分割し、前記合せ鏡全体の形状構造を、部分的に異なる形状をなす多段形状構造よりなる合せ鏡を用いてなることを特徴とする複合映像を映す万華鏡を設ける。
【００１２】
なお、上述において、多段形状構造の合せ鏡は、２本の内の１本に限定して用いるか、或いは、２本とも多段形状構造の合せ鏡を用いることが出来る。
【００１３】
（３）
万華鏡を２本用いて形成される両眼で覗く構造よりなる二眼型の、別体のオブジェクトを備える万華鏡において、
該二眼型の万華鏡を形成する２本の万華鏡の夫々の構造が互いに異なっていることにより、該２本の万華鏡の合わせ鏡に映る前記オブジェクトの映像が夫々異なるか、或いは、前記２本の万華鏡に付設される合せ鏡の夫々の形状構造が互いに異なっていることにより、該２本の万華鏡の合わせ鏡に映る前記オブジェクトの映像が夫々異なることを特徴とする複合映像を映す万華鏡を設ける。
【００１４】
（４）
合せ鏡を２本用いて形成される両眼で覗く構造よりなる二眼型の、別体のオブジェクトを備える万華鏡において、
該二眼型の万華鏡を形成する２本の万華鏡の、その内の１本は、万華鏡の筒先端が開放され、そして、他の１本の万華鏡の筒先端には、透明球が付設されていて、前記２本の万華鏡の夫々の構造が、互いに異なる構造よりなることを特徴とする前記（３）に記載の複合映像を映す万華鏡を設ける。
【００１５】
（５）
合せ鏡を２本用いて形成される両眼で覗く構造よりなる二眼型の、別体のオブジェクトを備える万華鏡において、
該二眼型の万華鏡を形成する２本の万華鏡に付設される合せ鏡の構造は、その内の１本の万華鏡に付設される合せ鏡の形状構造は、四角形状であり、そして、他の１本の万華鏡の合せ鏡は、三角形状よりなることを特徴とする前記（３）に記載の複合映像を映す万華鏡を設ける。
【００１６】
（６）
ＣＤ（ＤＶＤ盤を含む）反射面に光透過機能を残して着色し、且つ、前記反射面にアクセサリーを付着してなる着色ＣＤ（ＤＶＤ盤を含む）を、上述の（１）ないし（５）のいずれか一つに記載の万華鏡のオブジェクトとして用いてなることを特徴とする複合映像を映す万華鏡のオブジェクトを設ける。
【００１７】
なお、ＣＤを応用するオブジェクトは、うちわの様な手持ちタイプ、或いは、ターンテーブルに飾って回転させるタイプ等、適宜な方法で用いることができる。
アクセサリーは、反射性を有するものが望ましい。
【００１８】
（７）
ＣＤ（ＤＶＤ盤を含む）反射面に取付ける、光透過機能を有する部材からなると共に、映り込み防止手段が施され、且つ、アクセサリーを付着してなる、アクセサリー盤であるか、或いは、前記アクセサリー盤に、光透過機能を残して着色してなるアクセサリー盤である、前記二種類のアクセサリー盤であって、
前記二種類のアクセサリー盤の内のいずれか一つを、ＣＤ（ＤＶＤ盤を含む）反射面に装着して、ＣＤ装着型アクセサリー盤を設け、且つ、前記ＣＤ装着型アクセサリー盤を、上述の（１）ないし（５）のいずれか一つに記載の万華鏡のオブジェクトとして用いてなることを特徴とする複合映像を映す万華鏡のオブジェクトを設ける。
【００１９】
なお、ＣＤ装着型アクセサリー盤を用いるオブジェクトは、うちわの様な手持ちタイプ、或いは、ターンテーブルに飾って回転させるタイプ等、適宜な方法で用いることができる。
上述の、アクセサリー盤への着色は、基本的には、映り込み防止構造を設けていない裏面に着色するが、アクセサリー盤表面への着色も可能である。
そして、アクセサリー盤への映り込み防止手段は、アクセサリー盤表面に、映り込み防止の凹凸構造を施すか、或いは、映り込み防止剤をコーティングするか、或いは、映り込み防止フイルムを貼り付けるなどの手段を用いる。
【００２０】
以上が課題を解決する手段に関する。
【発明の効果】
【００２１】
本発明は、請求項１〜請求項７に記載したように構成されているので、以下のような効果が期待される。
【００２２】
請求項１の発明においては、分割された複数の連結型筒体を自在に組み合わせ、組み合わせの違いによる映像の変化を楽しむことができ、また、理科教材としての使用が望まれる。
【００２３】
次に、請求項２の発明においては、二眼型の万華鏡を覗いてオブジェクトを見ると、ボリューム感のある画像密度の濃い複合映像が映し出される。
【００２４】
次に、請求項３の発明のように、両眼で覗く構造よりなる二眼型の万華鏡において、二眼型の万華鏡を形成する２本の万華鏡の夫々の構造を互いに異なる構造にすることにより、上述の二眼型の万華鏡を覗いてオブジェクトを見ると、左右の合せ鏡に写る異なる映像が重なって、複合映像として見られる。
請求項４の万華鏡は筒先端開放型と筒先端透明球付きの組み合わせであり、そして、請求項５の万華鏡は、四角形の合せ鏡と三角形の合せ鏡の組み合わせとなっていて、上述の二眼型の万華鏡を覗いてオブジェクトを見ると、左右の合せ鏡に写る異なる映像が重なって、複合映像として見られる。
【００２５】
次に、請求項６の発明においては、光透過機能を残して着色され、アクセサリーを付着してなるＣＤをオブジェクトとすることにより、燃える炎のような、独特の華麗な色彩を、映像で表現することができる。
【００２６】
次に、請求項７の発明においては、アクセサリー盤への映り込み防止ができ、綺麗な映像を見ることが出来る。
また、ＣＤ盤１枚に対し、アクセサリー盤多数とのセット対応も可能である。
【００２７】
アクセサリー盤への映り込み防止には、アクセサリー盤表面に、映り込み防止の凹凸構造を施すか、或いは、映り込み防止剤をコーティングするか、或いは、映り込み防止フイルムを貼り付けるなどの手段を用いる。    
着色したアクセサリー盤は、ＣＤに重ねるとＣＤ反射光を着色することが可能で、ＣＤ反射光を燃える炎のような華麗な色彩に変化させることが可能となり、万華鏡のオブジェクトとして用いることができる。
【００２８】
以上が発明の効果に関する。
【図面の簡単な説明】
【００２９】
【図１】本発明の、請求項１の記載に基づく、合せ鏡が異なる形状ごとに、筒体ごと分割された分割筒体が連結された、１本の合せ鏡を付設する複合映像を映す万華鏡の要部斜視図と其の内部図である。
【図２】図１の分解図である。
【図３】本発明の、請求項２の記載に基づく、二眼型の万華鏡の１本の合せ鏡に、多段形状構造の合せ鏡を用いる複合映像を映す万華鏡の要部斜視図と、付設される合せ鏡の斜視図である。
【図４】本発明の、請求項４の記載に基づく、二眼型の万華鏡の１本の奥側先端に透明球を付設する複合映像を映す万華鏡の要部斜視図と、付設される合せ鏡の斜視図である。
【図５】本発明の、請求項５の記載に基づく、二眼型の万華鏡の斜視図と、付設される三角形状と四角形状の、互いに異なる形状の２本の合せ鏡の斜視図である。
【図６】本発明の、請求項６の記載に基づく、アクセサリーを付着する、着色されたＣＤを２枚用いて構成される手持ちタイプのオブジェクトの斜視図である。
【図７】本発明の、請求項７の記載に基づく、アクセサリー盤の斜視図である。
【図８】図７のアクセサリー盤がＣＤ反射面に装着される、ＣＤ装着型アクセサリー盤の斜視図である。
【図９】図８の分解図である。
【図１０】本発明の、複合映像を映す万華鏡とオブジェクトの使用例図である。
【図１１】本発明の、参考例図であり、奥側部分の合わせ鏡は、円形状であり、手前部分の合わせ鏡は四角形状になっている、合せ鏡の形状構造が部分的に異なる多段形状構造になっている複合映像を映す万華鏡の要部斜視図である。
【図１２】図１１の内部側面図である。
【図１３】図１１の奥側先端の正面図である。
【発明を実施するための形態】
【００３０】
以下、本発明の実施の形態について図面を参照して説明する。
【００３１】
図１及び図２は、本発明の実施例１の、請求項１の記載に基づく複合映像を映す万華鏡である。
図１は、合せ鏡が異なる形状ごとに、筒体ごと分割された連結型筒体１２が連結された、１本の合せ鏡を付設する複合映像を映す万華鏡の要部斜視図であり、図２は、図１の分解図であり、多段形状構造の合せ鏡を付設する筒体が、異なる合せ鏡の形状ごとに分割された、四つの連結型筒体の分解図である。
図１の、本発明の万華鏡を覗いて、本発明のＣＤを応用する手持ちタイプのオブジェクトを見ると、４種類の分割筒体の、異なる組み合わせごとに、異なる映像が映し出され、理科教材としての利用も考えられる。
【００３２】
次に、図３は、本発明の実施例２の、請求項２の記載に基づく複合映像を映す万華鏡である。
図３は、二眼型の万華鏡の１本の合せ鏡に、多段形状構造の合せ鏡３を用い、他の１本には四角形状の合せ鏡８を用いて形成される複合映像を映す万華鏡の要部斜視図と付設される合せ鏡の斜視図である。
図３の、本発明の万華鏡を覗いて、本発明のＣＤを応用する手持ちタイプのオブジェクトを見ると、２本の万華鏡を左右片眼ずつで覗くと、１本の多段構造の合せ鏡には、複合した画像密度の濃い映像が映り、他の１本の合わせ鏡には、画像密度は低いが鮮明な映像が映って見え、両眼で覗くと、全体が複合された映像として映って見える。
【００３３】
次に、図４は、本発明の実施例３の、請求項４の記載に基づく複合映像を映す万華鏡である。
図４は、二眼型の万華鏡の１本の万華鏡の奥側の先端部４に透明球１６を付設する複合映像を映す万華鏡の要部斜視図と付設される合せ鏡の斜視図である。
図４の、本発明の万華鏡を覗いて、本発明のＣＤを応用する手持ちタイプのオブジェクトを見ると、２本の万華鏡を左右片眼ずつで覗くと、１本の透明球を付設する合せ鏡には、星座のような画像密度の濃い映像が映り、他の１本の合わせ鏡には、画像密度は低いが鮮明な映像が映って見え、両眼で覗くと、全体が複合された映像として映って見える。
【００３４】
次に、図５は、本発明の実施例４の、請求項５の記載に基づく複合映像を映す万華鏡である。
図５は、二眼型の万華鏡の斜視図と、付設される三角形状１５と四角形状８の、互いに異なる形状の２本の合せ鏡の斜視図である。
図５の、本発明の万華鏡を覗いて、本発明のＣＤを応用する手持ちタイプのオブジェクトを見ると、２本の万華鏡を左右片眼ずつで覗くと、三角形１５と四角形８の合せ鏡では映像が異なり、画像密度は低いが鮮明な映像が映って見え、両眼で覗くと、全体が複合された鮮明な映像として映って見える。
【００３５】
次に、図６は、本発明の実施例５の、請求項６の記載に基づく本発明万華鏡のオブジェクトである。
図６は、本発明の万華鏡のオブジェクトとして、光透過機能を残して着色され、アクセサリー２０を付着してなるＣＤ１８を、２枚貼り合わせて形成される手持ちタイプのオブジェクトの斜視図である。
光透過機能を残して着色されるＣＤをオブジェクトとして用いる理由は、ＣＤの反射光を着色することにより、独特の、燃える炎のような色彩を、映像にして表現することが可能なことである。
なお、光透過機能を残して着色されるＣＤ反射面に、アクセサリーを適宜に装着することが望ましい。
【００３６】
次に、図７，図８，図９は、本発明の実施例６の、請求項７の記載に基づく本発明万華鏡のオブジェクトである。
図７は、光透過機能を有する部材よりなるアクセサリー盤２５の斜視図であり、図８は、アクセサリー盤がＣＤ反射面に装着される、ＣＤ装着型アクセサリー盤２３の斜視図であり、図９は、其の分解図である。
上述の、ＣＤ反射面に接合して装着するアクセサリー盤２５に、光透過機能を残して着色すると、ＣＤ反射面に光透過機能を残して着色する場合と同様の効果が得られる。
また、映り込み防止手段の加工をすることが可能である。
【００３７】
次に、図１０は、本発明の複合映像を映す万華鏡と其のオブジェクトの使用例図であり、オブジェクトに当てる照明光度を加減し、或いは、オブジェクトの角度を変えることにより、異なる映像を表現することが可能となる。
【００３８】
次に、図１１−図１３は、本発明の万華鏡に関係する参考例図である。
図１１の、万華鏡を覗いて、本発明のＣＤを応用する手持ちタイプのオブジェクトを見ると、1段目の円形状の合わせ鏡には、オブジェクトのアクセサリーの実像が歪んで混ざり合い、帯状の渦巻き状の映像となって映る。
そして、1段目の帯状の映像が元になって、2段目の四角形状の合わせ鏡に映るが、2段目の合わせ鏡には、前記帯状になったアクセサリーの映像が復元されてアクセサリーの実像が映し出される。
そして、上述の、手にするオブジェクトを微動させると、合わせ鏡には、前後左右に丸太が転がるような映像と、それと同時に、中心部では渦が巻いているような映像が複合して、円形状の合わせ鏡と四角形状の合わせ鏡の映像の動きが複合されて、複雑な動きをする独特な映像が映し出され、不思議な映像が映し出される。
【００３９】
次に、本発明のその他の実施例を述べる。
本発明の万華鏡の合わせ鏡は、従来型の、各種のオブジェクトを本体に装着する、２ミラータイプ以外の万華鏡の合わせ鏡として用いることも可能である。
【００４０】
請求項７に記載のオブジェクトにおいて、ＣＤ盤１枚を用意し、そして、アクセサリー盤を複数枚用意して、使用時にアクセサリー盤を適宜に変えて、ＣＤ盤に装着することも可能である。
【００４１】
最近、万華鏡が見直され、万華鏡の綺麗な映像を見て感動すると、脳に刺激が与えられ、脳が活性化するとの、最近の研究が発表されている。
本発明の万華鏡を覗いて、本発明のオブジェクトを見ると、例えば、オブジェクトの着色が赤の場合には、燃える炎や燃えるマグマの様な色彩の、ボリューム感ある華麗な複合映像が映し出され、感動する人が多く見られる。
【００４２】
認知症は、日常生活において、感動することが無くなって来ると発症し易くなると言われている。
このため、特に高齢者には、万華鏡を日常生活に取り入れてもらい、時々見るようにすると、手軽に感動することが可能となり、認知症の予防効果も期待される。
【符号の説明】
【００４３】
１    万華鏡本体
２    筒体
３    合せ鏡    
４    筒先端部、１次映像取込口
５    筒後端部、覗き箇所
６    Ｗ三角形の合せ鏡
７    仕切鏡
８    四角形の合せ鏡
９    ２次映像取込口
１０  円形の合せ鏡
１１  筒保持体
１２  連結型筒体
１３  ３次映像取込口
１４  ４次映像取込口
１５  三角形の合せ鏡
１６  透明球
１７  光透過機能を残して着色されるＣＤ反射面
１８  ＣＤ
１９  取手
２０  アクセサリー
２１  光透過機能を残して着色されるアクセサリー盤
２２  アクセサリー盤映り込み防止構造
２３  ＣＤ装着型アクセサリー盤
２４  ＣＤ反射面
２５  アクセサリー盤
２６  オブジェクト
【手続補正３】
【補正対象書類名】図面
【補正対象項目名】全図
【補正方法】変更
【補正の内容】
【図１】
2014074872.tif 000023
【図２】
2014074872.tif 000024
【図３】
2014074872.tif 000025
【図４】
2014074872.tif 000026
【図５】
2014074872.tif 000027
【図６】
2014074872.tif 000028
【図７】
2014074872.tif 000029
【図８】
2014074872.tif 000030
【図９】
2014074872.tif 000031
【図１０】
2014074872.tif 000032
【図１１】
2014074872.tif 000033
【図１２】
2014074872.tif 000034
【図１３】
2014074872.tif 000035